(57)【要約】【課題】皮下脂肪の分解を促進させることができる光を射出することができる皮下脂肪分解促進装置を提供する。【解決手段】複数のＬＥＤ２と、前記複数のＬＥＤ２の光射出側に配置される透明中実の多角錐体からなる複数の導光部材３とを備えてなり、前記導光部材３を透過した光を皮下脂肪のある部位に照射する。そして、ＬＥＤ２と前記導光部材３とを収容するケーシング１を備え、前記ケーシング１が、前記導光部材３を透過した光を射出する光射出開口部１４を備え、前記光射出開口部１４から射出した光を皮下脂肪のある部位に照射する。【選択図】図６
0003180069.tif 000002
【実用新案登録請求の範囲】
【請求項１】
複数のＬＥＤと、前記複数のＬＥＤの光射出側に配置される透明中実の多角錐体からなる複数の導光部材とを備えてなり、前記導光部材を透過した光を皮下脂肪のある部位に照射することを特徴とする皮下脂肪分解促進装置。
【請求項２】
前記ＬＥＤと前記導光部材とを収容するケーシングをさらに備えてなり、前記ケーシングが、前記導光部材を透過した光を射出する光射出開口部を備え、前記光射出開口部から射出した光を皮下脂肪のある部位に照射する請求項１記載の皮下脂肪分解促進装置。
【請求項３】
前記複数のＬＥＤが、赤外光を射出する１又は複数の赤外光ＬＥＤと、可視光を射出する１又は複数の可視光ＬＥＤとで構成される請求項１又は２記載の皮下脂肪分解促進装置。
【請求項４】
前記複数の導光部材が、間隔を空けて配置され、前記導光部材間を通過するＬＥＤの光が、赤外光である請求項１、２又は３記載の皮下脂肪分解促進装置。
【請求項５】
前記複数の導光部材が、間隔を空けて配置され、前記導光部材間を通過するＬＥＤの光が、可視光である請求項１、２又は３記載の皮下脂肪分解装置。
【請求項６】
前記複数の導光部材が、行方向と列方向とに所定の距離を空けてマトリクス状に整列される請求項１、２、３、４又は５記載の皮下脂肪分解促進装置。
【請求項７】
前記複数の導光部材が、隣り合う導光部材と接触して配置される請求項１、２又は３記載の皮下脂肪分解促進装置。
【請求項８】
前記導光部材が、正四角錐体である請求項１乃至７のいずれかに記載の皮下脂肪分解促進装置。
【請求項９】
前記導光部材が、前記正四角錐体の頭頂点を前記ＬＥＤが光を射出する方向に向けて配置される請求項８記載の皮下脂肪分解促進装置。
【請求項１０】
前記導光部材が、水晶からなる請求項１乃至９のいずれかに記載の皮下脂肪分解促進装置。
【考案の詳細な説明】
【技術分野】
【０００１】
この考案は、生体にＬＥＤから出た光を照射して痩身を促進させるための皮下脂肪分解促進装置に関するものである。
【背景技術】
【０００２】
近時、光を身体に照射して、例えば皮膚疾患を治療したり、皮下脂肪を溶解させて痩身することが注目されつつある。このような背景のもとに、皮膚疾患に対して、光を照射して治療するための装置が開発されている。例えば特許文献１に記載の治療装置では、ＬＥＤを光源として、そのＬＥＤから射出される約３００ｎｍと約３２０ｎｍの間のピーク波長を有する光を、患者の患部に照射するように複数の光源を支持する構造が開示されている。この特許文献１では、乾癬、接触性皮膚炎、白斑、座瘡、アトピー性皮膚炎等の皮膚疾患の治療に対して効果があることを記載するとともに、皮下脂肪であるセルライトに対しても有効である旨が示されている。
【先行技術文献】
【特許文献】
【０００３】
【特許文献１】特表２００８‐５３９８０８号公報
【考案の概要】
【考案が解決しようとする課題】
【０００４】
ところで、特許文献１の治療装置は、患部に照射する光が、波長の短い近紫外線であることから、基本的には、皮膚疾患のための治療装置であることは容易に判断できる。つまり、特許文献１の治療装置は、殺菌力のある紫外線を皮膚に対して照射するようにしてある装置であり、皮膚より身体内側に存在するセルライトを含む皮下脂肪に対しては、作用しない可能性が高いと考えられる。
【０００５】
そこで、本考案は上述したような問題を鑑みてなされたものであり、皮下脂肪の分解を促進させることができる光を射出することができる皮下脂肪分解促進装置を提供することを目的とする。
【課題を解決するための手段】
【０００６】
すなわち、本考案の皮下脂肪分解促進装置は、複数のＬＥＤと、前記複数のＬＥＤの光射出側に配置される透明中実の多角錐体からなる複数の導光部材とを備えてなり、前記導光部材を透過した光を皮下脂肪のある部位に照射することを特徴とする。
【０００７】
本考案の皮下脂肪分解促進装置は、前記ＬＥＤと前記導光部材とを収容するケーシングをさらに備えてなり、前記ケーシングが、前記導光部材を透過した光を射出する光射出開口部を備え、前記光射出開口部から射出した光を皮下脂肪のある部位に照射するものが望ましい。
【０００８】
皮下脂肪分解促進作用を強化するためには、前記複数のＬＥＤが、赤外光を射出する１又は複数の赤外光ＬＥＤと、可視光を射出する１又は複数の可視光ＬＥＤとで構成されるものが望ましい。
【０００９】
このような２種類のＬＥＤを備える構成にあっては、複数の導光部材が、前記複数の導光部材が、間隔を空けて配置され、前記導光部材間を通過するＬＥＤの光が、赤外光である構成と、前記複数の導光部材が、間隔を空けて配置され、前記導光部材間を通過するＬＥＤの光が、可視光である構成とが挙げられる。
【００１０】
赤外光の波長は、０．８５μｍ〜１５μｍが望ましく、可視光の波長は、６２５ｎｍ〜６４０ｎｍが望ましい。
【００１１】
複数の導光部材は、具体的には、行方向と列方向とに所定の距離を空けてマトリクス状に整列されるもの、及び隣り合う導光部材と接触して配置されるものが望ましい。
【００１２】
このような導光部材は、光質変換効果や暗示的乃至明示的な治療効果が期待できる、正四角錐体のものが望ましい。正四角錐体からなる導光部材は、正四角錐体の頭頂点をＬＥＤが光を射出する方向に向けて配置されるものが望ましい。
【００１３】
導光部材は、水晶からなるものが望ましい。また、導光部材は、透明中実の材料であれば、アクリル等の透明な合成樹脂やガラス、石英ガラス等であってもよい。
【考案の効果】
【００１４】
このような構成の本考案の皮下脂肪分解促進装置によれば、導光部材にＬＥＤから射出された光を透過させることによる光質変換による効果が期待でき、そのように光質変換された間接光と、ＬＥＤから射出された直接光とが協働して、効率よく皮下脂肪の分解を促進させることができる。
【図面の簡単な説明】
【００１５】
【図１】本考案の一実施形態の皮下脂肪分解促進装置を示す斜視図。
【図２】同実施形態の正面図。
【図３】同実施形態の左側面図。
【図４】同実施形態の平面図。
【図５】同実施形態の底面図。
【図６】同実施形態の縦断面図。
【図７】本考案の実施形態の変形例を示す図５相当図。
【考案を実施するための形態】
【００１６】
本考案の一実施形態について、図面を参照して説明する。
【００１７】
本実施形態に係る皮下脂肪分解促進装置（以下、分解促進装置と言う）１００は、ケーシング１と、ケーシング１内に取り付けられる光源である複数のＬＥＤ２と、ケーシング１内のＬＥＤ２の光射出側に取り付けられる水晶からなる多面錐体である複数の正四角錐体３とを備えている。
【００１８】
ケーシング１は、半楕円球状をしており、上から順に、ハンドル部４と、ハンドル部４が取り付けられる上ハウジング５と、上ハウジング５内に収容されるインナーハウジング６と、上ハウジング５の下側に取り付けられる下ハウジング７と、下ハウジング７に取り付けられるスポンジベース８で主に構成される。
【００１９】
ハンドル部４は、例えば着色されたＡＢＳ樹脂製で、ハンドル９と、そのハンドル９の下側に設けられる凹部１０とを備えてなり、ケーシング１の上部を構成する。ハンドル９は、全体として半楕円球形状の外面から上側に突出するようにして形成される。ハンドル９の下側に凹部１０を設けることで、分解促進装置１００を使用する際に、ハンドル９を握りやすくしている。
【００２０】
上ハウジング５は、例えば透明のポリカーボネート製の成形物に内側塗装を施したもので、ケーシング１の大半を占めるもので、ＬＥＤ２及び正四角錐体３を取り付けるためのインナーハウジング６を、その内側の空間に収容する。上ハウジング５は、その下側の開口部分に、下ハウジング７が連結固定される。
【００２１】
インナーハウジング６は、例えば白色のＡＢＳ樹脂製で、ビス１１により上ハウジング５に固定されるもので、実質的にＬＥＤ２及び正四角錐体３を収容する。インナーハウジング６は、その内側面に複数の取付用柱体１２が形成されており、ＬＥＤ２が実装されるプリント基板１３がその内側に固定される。
【００２２】
下ハウジング７は、例えば着色されたＡＢＳ樹脂製で、上ハウジング５の下側の開口部分に取り付けられて、ＬＥＤ２から射出された光がケーシング１外に出ていく光射出開口部１４をスポンジベース８とともに形成している。この下ハウジング７には、正四角錐体３が取り付けられた第一透明板１５、平面視楕円環状形状のスポンジベース８、及び光射出開口部１４を閉鎖する第二透明板１６が取り付けられる。
【００２３】
第一透明板１５は、例えばポリカーボネート製の平板で、下ハウジング７のインナーハウジング６側の面に形成された取付用部材１７に固定される。第一透明板１５には、後述する正四角錐体３が取り付けられている。
【００２４】
スポンジベース８は、例えば白色のＡＢＳ樹脂製で、環状のスポンジ１８が取り付けられる。スポンジ１８は、身体の所定の部位に分解促進装置１００を接触させた場合の密着性を向上させる。スポンジ１８は、スポンジカバー１９で覆われて露出しない。スポンジカバー１９は、患者の皮膚に直接接触する部分であり、例えば布製で、スポンジ１８と協働して触感が柔らかくなるようにするものである。
【００２５】
第二透明板１６は、例えばポリカーボネート製の平板で、ＬＥＤ２が射出した光及びＬＥＤ２が射出して正四角錐体３を透過した光を減衰させることなく皮膚に照射できるように、またケーシング１内に外部から分解促進装置１００に塵埃が侵入することを確実に防げるように、ケーシング１の内側の空間を外部から遮断するものである。
【００２６】
ケーシング１の正面の上ハウジング５には、電源スイッチ２０が取り付けてあるとともに、その右側面のハンドル部４と上ハウジング５との境界部分には、電源コード２１が取り外し可能に接続できるように構成してある。
【００２７】
複数のＬＥＤ２は、赤外光を射出する複数の赤外光ＬＥＤ２ａと、可視光を射出する複数の可視光ＬＥＤ２ｂとからなる。赤外光ＬＥＤ２ａは、０．８５μｍ〜１５μｍの波長の赤外光を射出するものを用いる。また可視光ＬＥＤ２ｂは、６２５ｎｍ〜６４０ｎｍの波長の可視光を射出するものを用いる。それぞれの赤外光ＬＥＤ２ａと可視光ＬＥＤ２ｂとは、平面形状が楕円形のプリント基板１３上に、例えば７行９列のマトリックス状に、正四角錐体３の配置と関連して配置される。各ＬＥＤ２は、プリント基板１３がインナーハウジング６に取り付けられた際に、光射出開口部１４の方向を向くようにプリント基板１３に実装される。この場合、赤外光ＬＥＤ２ａは、後述する正四角錐体３間に対応する位置でプリント基板１３に実装され、残る場所に可視光ＬＥＤ２ｂが実装される。したがって、この実施形態では、複数のＬＥＤ２の内の一部のＬＥＤは、可視光ＬＥＤにより構成される。
【００２８】
プリント基板１３は、インナーハウジング６の天井部分に下向けに形成された取付用柱体１２に、ビス止めされる。なお、１行１列及び９列と、７行９列とに対応する位置に配置されるべきＬＥＤ２は、プリント基板１３の形状の関係で実装されない。
【００２９】
正四角錐体３は、ＬＥＤ２の光の射出側に配置される第一透明板１５上に、相互に間隔を空けて、具体的には、行方向と列方向とに所定距離を空けて例えば３行３列で配置される。正四角錐体３は、その頭頂点３ａがＬＥＤ２とは反対の方向、つまり光射出開口部１４の方向に向くように、第一透明板１５に固定される。第一透明板１５は、ＬＥＤ２との距離を可能な限り小さくした状態で固定される。このため、正四角錐体３の高さは、第一透明板１５と第二透明板１６との間の距離より小さい値になっている。この実施形態では、それぞれの正四角錐体３は、その底面の各辺が平行になるように整列させてある。
【００３０】
正四角錐体３は、例えばピラミッドに代表されるように、古来より特別の効果があると言われてきているものであり、正四角錐体３に光を透過させることによる光質変換効果（波長組成の変更）や暗示的乃至明示的な治療効果を期待することができる。
【００３１】
このような構成において、電源コード２１を接続した分解促進装置１００を、皮下脂肪を取りたい身体の部位、例えば腹部に接触させる。この実施形態では、分解促進装置１００がハンドル９を備えているので、ハンドル９を握ることにより、分解促進装置１００を身体の所望の部位に容易に接触させることができる。この時、スポンジ１８が変形することによって、腹部表面の三次元形状に合わせて、スポンジ１８を身体に密着させることができる。このため、分解促進装置１００で光を照射する部分に、ＬＥＤ２以外の光が入り込むことを防ぐことができる。
【００３２】
以上の状態で、電源スイッチ２０をオンすると、赤外光ＬＥＤ２ａ及び可視光ＬＥＤ２ｂが光を射出する。射出された光の内、赤外光ＬＥＤ２ａが射出した赤外光が正四角錐体３を透過せずに直接に、正四角錐体３間の隙間から第二透明板１６を介して光射出開口部１４から外側に射出される。また、可視光ＬＥＤ２ｂから射出された可視光は、正四角錐体３の底面から入射し、頭頂点３ａ側から射出されて光射出開口部１４から外側に射出される。
【００３３】
光射出開口部１４から射出された光は、身体の所望の部位に照射されて、赤外光が所望の部位を温めるとともに、水晶からなる正四角錐体３を透過して光質変換された可視光によりテレセラピ―を実現する。このようにして、赤外光と正四角錐体３を透過した可視光とを所望の部位に照射することにより、皮下脂肪の分解を促進することができる。
【００３４】
次に、具体的な効果を示す実験データに関して、表１により説明する。
【００３５】
この実験は、２０代から７０代までの被験者に対して、１部位に対する使用時間を１０分として、週２回の割合で合計１０回、皮下脂肪を分解したい所望の部位としての胴部に対して分解促進装置１００を使用した。１回の使用において複数部位に対して、分解促進装置１００を使用するものであってよい。
【００３６】
被験者は、２０代が５名、３０代が８名、４０代が８名、５０代が１８名、６０代が８名、７０代が５名である。表１において、Ｗ周りとは、へその上の胴がくびれている位置の周囲の長さ、胴周りとは、へその位置における周囲の長さを言う。
【００３７】
各測定項目の数値は、各年齢層別の各項目の平均値である。各比率及び各差の項目において、負符号（マイナス）が付されたものは、その項目の減少値が減少したことを示すものである。
【００３８】
体脂肪率及び体幹体脂肪率における前回からの比率とは、今回の測定値と今回の１回前つまり前回の測定値との差であり、１回目からの差とは、１回目の測定値と１０回目の測定値との差である。
【００３９】
Ｗ周りの差及び胴周りの差における前回からの比率とは、今回の測定値と今回の１回前つまり前回の測定値との差と、前回の測定値との比率である。また１回目からの比率とは、１回目の測定値と１０回目の測定値との差と、１回目の測定値との比率である。
【表１】
0003180069.tif 000003
【００４０】
表１から分かるように、１０回の使用を終了した時点で、体脂肪率及び体幹体脂肪率は、各年齢層において減少し、全体の平均値は、体脂肪率が０．８２％、体幹体脂肪率が、１．２９％の減少であった。また、４０代〜７０代の比較的高い年齢層にあって、減少率が高くなる傾向であった。
【００４１】
次に、Ｗ周りに関しては、各年齢層において減少し、２０代及び４０代を除いて、それぞれの年齢層で１％以上の減少が見られた。特に、７０代では、３．７２％と顕著な減少となった。
【００４２】
胴周りに関しては、同様にして、それぞれの年齢層において１％以上の減少となり、６０代及び７０代では３％以上の減少を見た。
【００４３】
このように、脂肪吸引や脂肪溶解注射と言った、外科的な処置なく、皮下脂肪を減少させることができた。しかも、光を照射した部位の皮下脂肪の分解を促進するものであるので、所望に応じで部分痩せをすることができる。
【００４４】
なお、本考案は、上記実施形態に限定されるものではない。
【００４５】
上記実施形態では、赤外光ＬＥＤが射出する可視光を、正四角錐体３間を通過させて皮膚に照射する構成を説明したが、可視光ＬＥＤ２ｂが射出する可視光を、正四角錐体３間を通過させて皮膚に照射する構成であってもよい。この場合、赤外光を、底面から正四角錐体３に入射させ、頭頂点３ａ側から射出させるように、赤外光ＬＥＤをプリント基板に実装するものである。
【００４６】
また、複数の導光部材である正四角錐体３は、図７に示すように、隣り合う正四角錐体３同士が接触して配置する構成であってもよい。この場合、光射出開口部１４からプリント基板１３側を見た場合に、正四角錐体３と重なる位置に可視光ＬＥＤ２ｂを配置し、正四角錐体３の周囲の正四角錐体３と重ならない部位に対応するように、赤外光ＬＥＤ２ａを配置する。あるいは、正四角錐体３と重なる位置に赤外光ＬＥＤ２ａを配置し、正四角錐体３の周囲の正四角錐体３と重ならない部位に対応するように、可視光ＬＥＤ２ｂを配置する。
【００４７】
さらには、図７の変形例としては、正四角錐体３と重ならない部分には、ＬＥＤ２を配置しない構成であってもよい。つまり、ＬＥＤ２は、正四角錐体３が配置された部位に対応するように配置する。したがって、ＬＥＤ２が射出した光は、全て正四角錐体３を透過して光射出開口部１４から射出される。
【００４８】
このように配置することにより、上記実施形態と同等の効果を奏するものである。
【００４９】
上記実施形態は、ハンドル９を備えるポータブルな大きさのものを説明したが、ハンドル９を設けずに、例えば床に載置できる支持装置に取り付けて使用できるようにするものであってもよい。この場合、例えば人の腹部や背中全体をカバーできる大きさに導光部材を透過したＬＥＤの光、赤外光及び可視光を照射できるように、ＬＥＤ２及び導光部材である正四角錐体３を配置するものが挙げられる。
【００５０】
さらには、上記実施形態では赤外光と可視光とを射出し得る構成を説明したが、可視光のみを射出する構成とするものであってよい。この可視光のみを射出する変形例にあっても、上記実施形態と同様に導光部材を配置するものである。すなわち、所定間隔を空けて正四角錐体（導光部材）３をマトリクス状に配置する構成、及び相互に接触させて配置する構成を当てはめることができる。
【００５１】
この変形例において、マトリクス状に正四角錐体３を配置した場合は、上記実施形態と同様に、射出した光が正四角錐体３を透過する位置に可視光ＬＥＤ２ｂを配置するとともに、正四角錐体３間から直接に光が光射出開口部１４から射出される位置に可視光ＬＥＤ２ｂを配置する。
【００５２】
また、正四角錐体３を相互に接触させて配置する場合は、図７に示す全てのＬＥＤの位置に、可視光ＬＥＤ２ｂを配置する。あるいは、正四角錐体３に重なる位置にのみ、可視光ＬＥＤ２ｂを配置する。なお、可視光の波長は、上記実施形態のものと同じであってよい。
【符号の説明】
【００５３】
１００・・・皮下脂肪分解促進装置
１・・・ケーシング
２・・・ＬＥＤ
２ａ・・・赤外光ＬＥＤ
２ｂ・・・可視光ＬＥＤ
３・・・正四角錐体（導光部材）
１４・・・光射出開口部
【図１】
0003180069.tif 000004
【図２】
0003180069.tif 000005
【図３】
0003180069.tif 000006
【図４】
0003180069.tif 000007
【図５】
0003180069.tif 000008
【図６】
0003180069.tif 000009
【図７】
0003180069.tif 000010